(57)【要約】      （修正有）【課題】安全にシャックルを降ろすことができる天秤吊り具を提供すること。【解決手段】天秤２０は一対の吊りピース２１が設けられており、天秤吊り具１はピース２１に対してピン連結して天秤２０を吊り下げる。天秤吊り具１は、吊り下げ金具１０と、ピン連結された３節のリンクからなる一対のリンク体３を有する。一対のリンク体３の一端が吊り下げ金具１０に対してピン連結し、一対のリンク体３の他端が夫々吊りピース２１に対してピン連結する。各リンク体３は、中央のリンク２ｂの上下のピンの間隔の長さＬ２が最も短く、下側のリンク２ｃの上下のピンの間隔の長さＬ３が最も大きい。長さＬ３は、上側の二つのリンクのピンの間隔の長さＬ１と長さＬ２をたした長さよりも短く、かつ吊り下げ金具１０を頂点としてリンク体３の各上側のリンク２ａがなす角度は、鉛直方向を中心として左右対称に予め決められた角度以下になることを制限されている。【選択図】図１
2020083618.tif 000002
【特許請求の範囲】
【請求項１】
間隔を開けて天秤上に設けられた一対の吊りピースに対してピンを枢軸として揺動可能に連結して、前記天秤を吊り下げる天秤吊り具において、
シャックルと、
ピンを枢軸として揺動可能に上から順に連結された３節のリンクからなる一対のリンク体とを有し、
前記一対のリンク体の一端が前記シャックルに対してピンを枢軸として揺動可能に連結し、前記一対のリンク体の他端が夫々前記一対の吊りピースに対してピンを枢軸として揺動可能に連結し、
前記各リンク体は、前記３節のリンクのうち中央のリンクが上側のリンクと下側のリンクとに夫々枢軸されたピンの間隔の長さＬ２が最も短く、前記下側のリンクが前記吊りピースと前記中央のリンクとに夫々枢軸されたピンの間隔の長さＬ３が最も大きく、
前記長さＬ３は、前記上側のリンクが前記シャックルと前記中央のリンクとに夫々枢軸されたピンの間隔の長さＬ１と前記長さＬ２をたした長さよりも短く、かつ
前記シャックルを頂点として前記リンク体の各上側のリンクがなす角度は、鉛直方向を中心として左右対称に予め決められた角度以下にはなることを制限されていることを特徴とする天秤吊り具。
【請求項２】
請求項１の天秤吊り具において、
前記上側のリンクと下側のリンクは、板材の１枚構成である前記中央のリンクを、２枚の板材により挟んで構成されていることを特徴とする天秤吊り具。
【請求項３】
請求項１の天秤吊り具において、
前記シャックルは、角度保持プレートと、前記角度保持プレートに設けられたオーバル形状の軸穴に対してピンを枢軸として揺動可能に接続したシャックル本体を有しており、
前記軸穴をピンが下側に移動する際に一方側に衝突して前記シャックル本体が他方側に揺動するように促す横転面と、前記シャックル本体が揺動する範囲を制限する保持部とを有することを特徴とする天秤吊り具。
【発明の詳細な説明】
【技術分野】
【０００１】
建設・建築現場、工場や重機器工場において、重量物の運搬に用いる吊り天秤に関するものである
【背景技術】
【０００２】
玉掛け作業に用いられる吊り天秤は、荷をバランス良く吊りたい時や、ワイヤロープなどを荷に緩衝させたくない時に利用される。丸パイプを利用したビーム形状をした物から、特殊な形状や機能を有する様々な天秤が利用されている。天秤には複数の吊りピースが付いている。特許文献１には、このような天秤（ビーム状本体）が開示されている。ビーム状本体の左右両端に近い上面の所定位置に設けられた吊りピースにワイヤの下端を連結し、ワイヤの上端をシャックルに連結し、シャックルをクレーンのフックにより吊り下げる。
【０００３】
同特許文献１によれば、さらに、ビーム状本体の左右両端付近にピンで連結した左右一対の等長、複節数のリンクの下端をそれぞれ起伏回動自在に連結し、両リンクの上端を一つのシャックルに連結した吊り具が示されている。さらに、ビーム状本体の中心部にはシャックル受台が設けられており、リンク屈折により下降した際のシャックルを受止める。この吊り具をクレーンにより吊上げると、リンクが緊張して直線状態となり、吊りに最適とされた角度を保ったままビーム状本体が上昇されるようになる。また、クレーンを下降し、ビーム状本体が接地すれば、その後さらに下降することによって、シャックルは、シャックル受台に載り、リンクは屈折して安定することができて、シャックルの取り扱いが容易である。
【先行技術文献】
【特許文献】
【０００４】
【特許文献１】実開昭５７−６２７６９号公報
【発明の開示】
【発明が解決しようとする課題】
【０００５】
特許文献１の吊り具によれば、ワイヤやチェーンを用いずに、リンクにより吊り下げるものであるから、荷を降ろしたときのワイヤやチェーンの処理が不要である。また、シャックルは、シャックル受台に載せることが出来る。しかしながら、一方でシャックルを載せるシャックル受台をビーム状本体の中心部に設けなければならない。また、クレーンを下降しビーム状本体が接地した後でリンクが屈曲の順番や角度が制御出来ず、また、ビーム状本体の中心部に設けられたシャックル受台にきちんとシャックルを降ろすことができる保証もない。
本発明は、上述の観点に基づき、安全にシャックルを降ろすことができる天秤吊り具を提供するものである。
【課題を解決するための手段】
【０００６】
上記課題を解決するため、本発明の天秤吊り具は、間隔を開けて天秤上に設けられた一対の吊りピースに対してピンを枢軸として揺動可能に連結して、前記天秤を吊り下げる天秤吊り具において、
シャックルと、
ピンを枢軸として揺動可能に上から順に連結された３節のリンクからなる一対のリンク体とを有し、
前記一対のリンク体の一端が前記シャックルに対してピンを枢軸として揺動可能に連結し、前記一対のリンク体の他端が夫々前記一対の吊りピースに対してピンを枢軸として揺動可能に連結し、
前記各リンク体は、前記３節のリンクのうち中央のリンクが上側のリンクと下側のリンクとに夫々枢軸されたピンの間隔の長さＬ２が最も短く、前記下側のリンクが前記吊りピースと前記中央のリンクとに夫々枢軸されたピンの間隔の長さＬ３が最も大きく、
前記長さＬ３は、前記上側のリンクが前記シャックルと前記中央のリンクとに夫々枢軸されたピンの間隔の長さＬ１と前記長さＬ２をたした長さよりも短く、かつ
前記シャックルを頂点として前記リンク体の各上側のリンクがなす角度は、鉛直方向を中心として左右対称に予め決められた角度以下にはなることを制限されていることを特徴とする。
【発明の効果】
【０００７】
本発明においてもリンク体を用いることにより、荷を降ろしたときのワイヤやチェーンの処理が不要である。さらに、上側の一対のリンクがなす角度が制限されているので、最初は中央のリンクと下側のリンクのみが動き、次に上側のリンクと中央のリンクのみが動くように、動きを制限することが出来るので、リンク体を予定通りの動きをさせることができる。このため、シャックルを降ろしたときに、天秤の中央側の中央に置くことができるという効果がある。また、上側のリンクと下側のリンクを板材の２枚構成とすれば、中央のリンクを挟んだ状態にするので、倒れにくく安定するという効果がある。
【図面の簡単な説明】
【０００８】
【図１】本実施例による吊り天秤を示す図であり、図１Ａは側面図、図１Ｂは正面図、図１Ｃは部品図、図１Ｄは屈曲状態を示す図である。
【図２】吊り天秤が屈曲する様子を示す図である。
【図３】他の実施例を示す図である。
【図４】他の実施例を示す図である。
【発明を実施するための最良の形態】
【０００９】
本発明の天秤吊り具を実施例により図面を参照しながら悦明する。
尚、以下の発明において天秤は、天秤吊り具と一体として取引されることもあるし、天秤と天秤吊り具とが別々に取引される場合もある。この場合、ユーザーが自己の玉掛け作業に特化した天秤を用意する場合もある。
【実施例１】
【００１０】
図１に本実施例による天秤吊り具１を示す。天秤２０は、例えば角パイプやＨ型、その他の鋼材等の梁であり、その上面左右両端位置には吊りピース２１が固着されている。天秤吊り具１は、上から順にリンク２ａ（上側のリンク）、リンク２ｂ（中央のリンク）、リンク２ｃ（下側のリンク）の３節からなる１対のリンク体３の夫々の下端を一対の吊りピース２１にそれぞれピン５で連結してある。一対のリンク体３の夫々の上端は、吊り下げ金具１０にピン４ａにより連結されている。リンク２ａとリンク２ｂ、リンク２ｂとリンク２ｃは夫々、ピン４ｂ、ピン４ｃにより連結されている。ピン５、ピン４ａ、ピン４ｂ、ピン４ｃは、いずれも天秤２０の長さ方向Ｄ１に垂直な方向を軸線方向とした水平のピンであり、これらのピンを枢軸としてリンク２ａ、リンク２ｂ、リンク２ｃは揺動可能である。本実施例においては、ピン５、ピン４ａ、ピン４ｂ、ピン４ｃは、ボルト６とナット７により構成されている。
【００１１】
図１Ｃに吊り下げ金具１０の部分を、リンク２ａから取り出して示す。吊り下げ金具１０は、角度保持プレート１２の上部に、天秤２０の長さ方向Ｄ１を軸線方向とした水平のピン１３を枢軸として揺動可能なシャックル本体１１を有しており、シャックル本体１１がクレーン（図示しない）により掛合される。ピン１３は、ボルト１５とナット１４により構成されている。
【００１２】
角度保持プレート１２には、リンク２ａがピン４ａを枢軸とした軸線回りに揺動可能な下限を制限するストッパ１７が設けられている。ストッパ１７は、鉛直方向Ｄ２に対して左右のリンク２ａが夫々なす角度Ｒ１が、所定の角度（鋭角、例えば３０度）よりも小さくならないように制限した、いわゆる回り止めである。従って、左右のリンク２ａが両者とも最も下側に揺動したときに、吊り下げ金具１０を頂点として左右のリンク２ａがなす角度Ｒ１＋Ｒ１は、例えば角度Ｒ１が３０度の場合には６０度になる。鉛直方向Ｄ２を中心としたとき、左右対称に所定の角度よりも小さくならないように制限されるのである。
【００１３】
一対のリンク体３の夫々におけるピン５、ピン４ａ、ピン４ｂ、ピン４ｃの間の長さを説明する。一対のリンク体３は、互いに同形であり一方のみ説明すると、ピン４ａとピン４ｂの間の長さをＬ１、ピン４ｂとピン４ｃの間の長さをＬ２、ピン４ｃとピン５の間の長さをＬ３とすると、長さＬ３が最も長く、次に長さＬ１、そして一番短いのが長さＬ２である。また、Ｌ３はＬ１とＬ２を足した長さよりも短い。そして、リンク体３が互いに６０度の角度で一直線状になったときに（図１Ｂの状態）、天秤２０とリンク体３がなす角度が６０度になるように、長さＬ１、Ｌ２、Ｌ３が配分されている。すなわち、一対の吊りピース２１と吊り下げ金具１０が、夫々正三角形の頂点に位置付くように長さを配分するのである。
【００１４】
また、クレーンを下降し、天秤２０が接地し、その後さらに下降した際に、図１Ｄに示すようにリンク２ｃが天秤２０に重なり、かつリンク２ａがリンク２ｃの上に重なり、リンク２ａとリンク２ｃが水平に近くなるような長さ配分すれば、吊り下げ金具１０の最終的な位置が最も地面に近づくため望ましい。
【００１５】
リンク２ａとリンク２ｃは、夫々板材ｑ１とｑ２の２枚を重ねて、１枚の板材ｑ３からなるリンク２ｂを挟み込んで作製されている（図１Ａ）。
【００１６】
尚、図１Ｂにおいて、一点破線Ｅ１、Ｅ２は、クレーンを下降し、天秤２０が接地し、その後さらに下降した際、または天秤２０を吊り上げる際に、ピン４ｂとピン４ｃが描く夫々の軌跡である。
【００１７】
図２は、天秤吊り具１の作用を示す図である。
図２Ａはクレーンのフックをシャックル本体１１に掛合して吊上げた状態である。リンク体３が緊張して直線状態になっている。この状態から降下して、天秤２０が接地すれば、その後さらにフックを下降することによって、吊り下げ金具１０は下降する（図２Ｂ）。このとき、リンク２ａは、回動角度がストッパ１７により制限されているので、互いがなす角度（Ｒ１＋Ｒ１）を６０度に保ったままである。一方、リンク２ｂとリンク２ｃは、自らの重さでピン４ｃの位置が天秤２０の中央側に寄るように折れてゆく。ピン４ｃの位置がピン４ｂよりも天秤２０の中央側に寄ってさらに折れ曲がる（図２Ｃ）。そして、リンク２ｃが天秤２０の上に載る（図２Ｄ）。このときまで、リンク２ａがなす角度（Ｒ１＋Ｒ１）は、６０度に保たれている。さらに、吊り下げ金具１０が下降すると、リンク２ａがなす角度が大きくなり始め、リンク２ａがリンク２ｃの上に載る。このとき、リンク２ｂは、リンク２ａとリンク２ｃとを夫々構成する板材ｑ１、ｑ２の間に挟まれた状態であり、倒れにくくなっている。このため、吊り下げ金具１０は、折り畳まれたリンク体３の上で自立した状態で安定する。
【００１８】
本実施例によれば、一対のリンク２ａがなす角度の最小値が所定の角度に制限されているので、最初はリンク２ｂとリンク２ｃのみが動き、次ぎにリンク２ａとリンク２ｂのみが動くように、動きを制限することが出来る。このため、リンク体３を図２に示す予定通りの動きをさせることができるのであって、吊り下げ金具１０を降ろしたときに、天秤２０の中央側の中央に吊り下げ金具１０を置くことができ、かつリンク２ａとリンク２ｃがリンク２ｂを挟んだ状態で倒れにくく安定するという効果がある。また、リンク体を用いることにより、従来のように荷を降ろしたときのワイヤやチェーンの処理が不要であるという効果がある。
【実施例２】
【００１９】
図３は、第２の実施例を示した図である。第１の実施例からの変更点は、シャックル本体１１の動きを規制する機能を付加した点にある。シャックル本体１１の動きの規制は、３点である。まず一点目は、クレーンのフックが下降して、シャックル本体１１を吊り下げる緊張が完全に解き放たれたときに、シャックル本体１１がピン１３の軸線回りに回転して完全に倒れてしまうことを防止する機能である。つぎに、シャックル本体１１を倒れやすくする機能である。そして、シャックル本体１１が一方向に倒れるよう促す機能である。
【００２０】
図３Ａ、３Ｂを参照し、本実施例においては、ピン１３が枢軸される角度保持プレート１２の軸穴１８の形状を上下に長いオーバル形状（角丸長方形。二つの等しい長さの平行線と二つの半円形からなる。）にしている。また、シャックル本体１１の腕部１１ａが当接する一対の保持部１９ａ、１９ｂと、シャックル本体１１の基底部が当接する横転面１９ｃを有するプレート１９が設けられている。横転面１９ｃは、シャックル本体１１を倒したい側の反対側において、基底部１１ｂに衝突するように設けられている。
【００２１】
図３Ｃを参照し、本実施例の構成と機能の関係を説明する。シャックル本体１１が倒れやすくする機能は、軸穴１８の形状のオーバル形状がこれを実現する。ピン１３と軸穴１８の接触面積が限定されるので、シャックル本体１１が倒れやすくなる。シャックル本体１１が一方向に倒れるよう促す機能は、軸穴１８の形状のオーバル形状と横転面１９ｃがこれを実現する。シャックル本体１１が角度保持プレート１２を吊り下げている間は、軸穴１８のオーバル形状の上側にピン１３（図２）が当接しているが、クレーンのフックがさらに下降して角度保持プレート１２が下降しなくなると、ピン１３は軸穴１８の下側に移動する。この際、基底部１１ｂが横転面１９ｃに衝突してシャックル本体１１が、横転面１９ｃの反対側に倒れる。完全に倒れてしまうことを防止する機能は、シャックル本体１１の腕部１１ａが当接する一対の保持部１９ａ、１９ｂがこれを実現する。保持部１９ａ、１９ｂがシャックル本体１１の腕部１１ａを保持することにより、シャックル本体１１が完全に倒れてしまうことがない。このため、クレーンのフックを取り外す際に、シャックル本体１１を起こす必要が無いので、作業が容易になる。保持部１９ａの面の方に斜めの角度が付いているのは、クレーンのフックを掛けやすい角度にしているからで有り、保持部１９ｂの面が垂直なのは、シャックル本体１１を一方向のみ倒す機能が正確に働かなかった場合でも容易に、保持部１９ａ側に手動でシャックル本体１１を倒すことができるようにするためである。尚、図３Ｄに示すように、保持部１９ｂの面の方にも斜めの角度が付いておいても良い。
【００２２】
本実施例によれば、クレーンのフックが下降して、シャックル本体１１を吊り下げる緊張が完全に解き放たれたときに、シャックル本体１１がピン１３の軸線回りに回転して完全に倒れてしまうことを防止することができる。シャックル本体１１が倒れる方向を一方向のみに倒れやすくすることができる。
【実施例３】
【００２３】
図４は、第３の実施例を示した図である。本実施例においては、天秤２０にリンク体３の案内ブロック２２を設けた点が、他の実施例とは異なる。案内ブロック２２は、リンク２ｃが折り畳まれたときに天秤２０に載る位置に設けられる。各案内ブロック２２は、リンク２ｃを挟むように設けられたブロック片２２ａ、２２ｂからなり、ブロック片２２ａ、２２ｂの対向面は、上から下に向けて互いの間隔ｗが狭まるテーパー面になっている。案内ブロック２２を設けることにより、リンク２ｃが折り畳まれたときに天秤２０の所定の位置に搭載させることができる。このため、吊り下げ金具１０がより安定するという効果がある。
【符号の説明】
【００２４】
１     天秤吊り具
２ａ     リンク
２ｂ     リンク
２ｃ     リンク
３     リンク体
４ａ     ピン
４ｂ     ピン
４ｃ     ピン
５、１３     ピン
６、１５     ボルト
７、１４     ナット
１０     吊り下げ金具
１１     シャックル本体
１１ａ     腕部
１１ｂ     基底部
１２     角度保持プレート
１３     ピン
１７     ストッパ
１８     軸穴
１９     プレート
１９ａ、１９ｂ     保持部
１９ｃ     横転面
２０     天秤
２１     吊りピース
２２     案内ブロック
２２ａ、２２ｂ     ブロック片
【図１】
2020083618.tif 000003
【図２】
2020083618.tif 000004
【図３】
2020083618.tif 000005
【図４】
2020083618.tif 000006